(57)【要約】【課題】空気放電やオゾンの大量発生を、フィードバック制御することなしに低コストで未然に防止することができる静電霧化装置を提供する。【解決手段】発振回路８で生成したパルス信号ＰＳは、パワーＭＯＳＦＥＴ６に出力されトランス５を間欠的に通電させ、トランス５の２次側巻線５ｂから出力される出力電圧Ｖｏを放電電極３とグランド電極４との間に印加して放電電極３に供給した水を静電霧化して帯電微粒子水にする。発振回路８は、パルス信号ＰＳの発振周波数を、トランス５の垂下特性が、空気放電せず、オゾン発生量が規定量以上にならないために、出力電圧Ｖｏが少なくとも空気放電電圧以下であって、規定量オゾン発生曲線の電力以下となる垂下特性となるように設定する。これにより、その時々で変動する放電電極３上の水の量に左右されて発生する空気放電や、オゾンの大量発生が未然に防止される。【選択図】図１
2011067746.tif 000002
【特許請求の範囲】
【請求項１】
放電電極に液体が供給されてなる放電部と、
トランスの１次側巻線と直列に接続したスイッチング素子に対してスイッチング素子駆動回路からパルス信号を出力して、前記スイッチング素子をスイッチング動作させ、前記トランスの２次側巻線から高電圧を生成する高電圧発生回路と、
を備え、
前記高電圧発生回路にて生成した高電圧を前記放電電極に印加して前記放電電極に供給した液体を静電霧化して帯電微粒子化された液体を生成する静電霧化装置であって、
前記スイッチング素子駆動回路のパルス信号の発振周波数を、
前記トランスの垂下特性が、前記放電部が負荷変動しても、前記放電電極とグランド電極との間で空気放電せず、前記液体が静電霧化す際に発生するオゾンのオゾン濃度が所定以上ならない垂下特性になるように設定したことを特徴とした静電霧化装置。
【請求項２】
請求項１に記載の静電霧化装置において、
前記放電部には、前記放電電極に対して一定の間隔に配置されたグランド電極を有し、
前記トランスの２次側巻線には、整流回路が接続され、前記２次側巻線から出力される高電圧の２次電圧を整流して前記放電電極とグランド電極との間に印加されることを特徴とする静電霧化装置。
【請求項３】
請求項１又は２に記載の静電霧化装置において、
前記スイッチング素子駆動回路は、発振回路であることを特徴とする静電霧化装置。
【請求項４】
請求項３に記載の静電霧化装置において、
前記発振回路は、コンパレータを用いた発振回路であることを特徴とする静電霧化装置。
【請求項５】
請求項４に記載の静電霧化装置において、
前記コンパレータは、反転入力端子又は非反転入力端子に接続された抵抗、コンデンサの少なくとも１つを調整できるようにしたことを特徴した静電霧化装置。
【発明の詳細な説明】
【技術分野】
【０００１】
本発明は、静電電霧化装置に関する。
【背景技術】
【０００２】
従来、ナノメータサイズの帯電微粒子水を発生させる静電霧化装置が知られている（例えば、特許文献１、２）。静電霧化装置は、放電電極の先端部に例えば毛細管現象を利用してタンクの水を供給した状態で、放電電極に高電圧を印加する。高電圧が印加されると、放電電極に供給された水が帯電し、レーリー分裂を繰り返して静電霧化されることで、静電霧化装置はナノメータサイズの帯電微粒子水を生成する。
【０００３】
この種の静電霧化装置においては、放電電極に高電圧を印加する高圧発生回路に、フライバック自励ＲＣＣ（Ringinng Choke Converter）方式のスイッチング電源が採用されている。フライバック自励ＲＣＣでは、高電圧発生用トランスに巻回された帰還巻線によってパワーＭＯＳＦＥＴを自励発振させることによって、別途に発振回路等を設ける必要がなく、回路規模を比較的簡単に小規模にできる点で多く採用される。また、フライバック自励ＲＣＣでの出力制御は、出力電圧をみてパワーＭＯＳＦＥＴターンオフ用スイッチを早くオンさせる等フィードバック制御を採用している。
【先行技術文献】
【特許文献】
【０００４】
【特許文献１】特開２００６−３３４５０３号公報
【特許文献２】特開２００７−２１３７０号公報
【発明の概要】
【発明が解決しようとする課題】
【０００５】
ところで、静電霧化装置では、無負荷時の電圧が高すぎると空気放電して静電霧化に移行しないことがある。また、放電電極に水が付着しすぎると電流が流れすぎて、大量のオゾンが発生してオゾン濃度が高くなるという問題があった。
【０００６】
これを、防ぐために、静電霧化装置に採用される放電電極に高電圧を印加する高圧発生回路は、電流が流れすぎるとき、電圧を下げてオゾンの大量発生を抑える電源負荷特性が望ましい。
【０００７】
本発明は、上記問題を解決するためになされたものであり、その目的は、空気放電やオゾンの大量発生を、フィードバック制御することなしに、低コストで未然に防止することができる静電霧化装置を提供することにある。
【課題を解決するための手段】
【０００８】
請求項１に記載の発明は、放電電極に液体が供給されてなる放電部と、トランスの１次側巻線と直列に接続したスイッチング素子に対してスイッチング素子駆動回路からパルス信号を出力して、前記スイッチング素子をスイッチング動作させ、前記トランスの２次側巻線から高電圧を生成する高電圧発生回路とを備え、前記高電圧発生回路にて生成した高電圧を前記放電電極に印加して前記放電電極に供給した液体を静電霧化して帯電微粒子化された液体を生成する静電霧化装置であって、前記スイッチング素子駆動回路のパルス信号の発振周波数を、前記トランスの垂下特性が、前記放電部が負荷変動しても、前記放電電極とグランド電極との間で空気放電せず、前記液体が静電霧化す際に発生するオゾンのオゾン濃度が所定以上ならない垂下特性になるように設定した。
【０００９】
請求項１に記載の発明によれば、トランスの垂下特性が、空気放電せず、オゾン発生量が規定量以上にならないために、出力電が少なくとも空気放電電圧以下であって、規定量オゾン発生曲線の電力以下となる垂下特性となるような、発振周波数のパルス信号を設定してスイッチング素子をスイッチング動作させた。これにより、複雑なフィードバック度制御を行うことなく、出力電圧を空気放電が発生する電圧（空気放電電圧）以下にするとともに、出力電流が流れすぎると出力電圧を低下させることができる。その結果、その時々で変動する放電電極上の液体の量に左右されて発生する空気放電や、オゾンの大量発生をそれぞれ未然に防止することができる。
【００１０】
請求項２に記載の発明は、請求項１に記載の静電霧化装置において、前記放電部には、前記放電電極に対して一定の間隔に配置されたグランド電極を有し、前記トランスの２次側巻線には、整流回路が接続され、前記２次側巻線から出力される高電圧の２次電圧を整流して前記放電電極とグランド電極との間に印加される。
【００１１】
請求項２に記載の発明によれば、整流回路にて整流された高電圧の直流電圧が放電電極とグランド電極との間に印加される。
請求項３に記載の発明は、請求項１又は２に記載の静電霧化装置において、前記スイッチング素子駆動回路は、発振回路である。
【００１２】
請求項３に記載の発明によれば、発振回路にて生成されたパルス信号がスイッチング素子に出力され、その発振回路からのパルス信号に基づいてスイッチング素子はスイッチング動作する。
【００１３】
請求項４に記載の発明は、請求項３に記載の静電霧化装置において、前記発振回路は、コンパレータを用いた発振回路である。
請求項４に記載の発明によれば、発振回路を、コンパレータを用いたものにしたので、簡単な回路構成で常に安定した発振周波数のパルス信号を生成することができる。
【００１４】
請求項５に記載の発明は、請求項４に記載の静電霧化装置において、前記コンパレータは、反転入力端子又は非反転入力端子に接続された抵抗、コンデンサの少なくとも１つを調整できるようにした。
【００１５】
請求項５に記載の発明によれば、抵抗又はコンデンサの値を調整するだけで、パルス信号の発振周波数を簡単に調整することができる。
【発明の効果】
【００１６】
本発明によれば、空気放電やオゾンの大量発生を、フィードバック制御することなしに、未然に防止することができる。
【図面の簡単な説明】
【００１７】
【図１】第１実施形態を説明するための静電霧化装置の電気回路図である。
【図２】トランスの垂下特性を説明するための説明図である。
【図３】空気放電電圧とトランスの垂下特性の関係を説明するための説明図である。
【図４】トランスの出力電圧及び出力電流に対する規定量オゾン発生の関係を説明するための説明図である。
【図５】本実施形態の空気放電電圧及び規定量オゾン発生曲線に対するトランスの垂下特性の関係を説明するための説明図である。
【図６】第２実施形態を説明するための静電霧化装置の電気回路図である。
【図７】静電霧化装置の別例を説明するための電気回路図である。
【発明を実施するための形態】
【００１８】
以下、本発明を具体化した静電霧化装置の一実施形態を図面に従って説明する。
図１は、静電霧化装置１の高電圧発生回路２を示し、高電圧発生回路２は静電霧化装置１に設けた放電部を構成する放電電極３とグランド電極４との間に高電圧を印加する。放電電極３とグランド電極４は所定の間隔をおいて配置されている。そして、放電電極３の先端部に液体としての水を供給した状態で、放電電極３とグランド電極４との間に高電圧発生回路２にて高電圧が印加される。
【００１９】
これによって、放電電極３の先端部に供給された水は、帯電しクーロン力の働きにより水の液面が局所的に円錐形状（テーラーコーン）に盛り上がる。そして、円錐状に盛り上がった水は、その水の先端に電荷が集中して電荷密度が高密度となり、高密度の電荷の反発力で弾けて、分裂・飛散（レーリー分裂）が繰り返されて静電霧化が行われて、活性種を含んだナノメータサイズの帯電微粒子水を大量に発生させる。
【００２０】
図１において、直流電源Ｅは、直流電圧１２Ｖの直流電源であって、そのプラス端子とマイナス端子間に、高圧発生用トランス５の１次側巻線５ａとスイッチング素子としてのパワーＭＯＳＦＥＴ６からなる直列回路が接続されている。また、直流電源Ｅのプラス端子とマイナス端子間には、平滑用の電解コンデンサ７が接続されている。さらに、直流電源Ｅは、スイッチング素子駆動回路としての発振回路８に１２Ｖの動作用の駆動電圧を供給している。
【００２１】
発振回路８は、直流電源Ｅからの駆動電圧を入力し、パワーＭＯＳＦＥＴ６をオン・オフさせるためのパルス信号ＰＳを生成し、抵抗９を介してパワーＭＯＳＦＥＴ６のゲート端子にそのパルス信号ＰＳを出力する。
【００２２】
パワーＭＯＳＦＥＴ６は、そのゲート端子にパルス信号ＰＳが入力されることで、オン・オフされる。そして、パワーＭＯＳＦＥＴ６のオン・オフ動作によって、高圧発生用トランス５の１次側巻線５ａが直流電源Ｅによって間欠的に通電されて、高圧発生用トランス５の２次側巻線５ｂに高電圧の２次電圧を出力する。
【００２３】
２次側巻線５ｂの両端子間には、ダイオードＤとコンデンサ１０からなる半波整流回路が接続され、２次側巻線５ｂから出力される高電圧の２次電圧を整流して高電圧（本実施形態では、５ｋＶ）の出力電圧Ｖｏとして出力する。
【００２４】
ところで、静電霧化装置１は、放電電極３上の水の量が少なくなると、テーラーコーンが小さくなり、その先端とグランド電極４までの距離が長くなって、放電電流（出力電流Ｉｏ）が少なくことが知られている。そして、放電電極３の水の量がさらに少なくなると、放電電極３上に水とグランド電極４との間での放電ではなくなって、放電電極３とグランド電極４との間での放電（空気放電）となり、静電霧化に移行しなくなる。
【００２５】
反対に、放電電極３上の水の量が多くなると、テーラーコーンが大きくなり、その先端とグランド電極４までの距離が短くなって、放電電流が増大することが知られている。そして、放電電極３上の水がさらに多くなると、グランド電極４と水との距離が短くなり過ぎて、短絡電流が流れて狙った粒子径のミストが得られないとともに大量のオゾンが発生してオゾン濃度が高くなる。
【００２６】
従って、空気放電を未然に防止するとともに、放電電極３に水が付着し過ぎ電流が流れ過ぎて、大量のオゾンが発生するのを未然に防止する必要がある。つまり、出力電圧Ｖｏを空気放電が発生する電圧（空気放電電圧）以下にするとともに、出力電流Ｉｏが流れすぎるとき出力電圧Ｖｏを低下させてオゾン濃度が高くならないようにする必要がある。
【００２７】
そこで、本実施形態は、放電電極３上の水の量に左右されず、空気放電を未然に防止し、かつ、オゾン発生を規定量以下にするように、トランス５の２次側巻線５ｂから出力される出力電圧Ｖｏを設定している。この出力電圧Ｖｏは、発振回路８からパワーＭＯＳＦＥＴ６のゲート端子に出力するパルス信号ＰＳの発振周波数とそのパルス幅（オン時間）で設定される。
【００２８】
詳述すると、高圧発生用トランス５は、浮遊容量（ストレキャパシタンス）が大きい。従って、高圧発生用トランス５は、発振周波数を高くすると効率が悪くなり、その負荷電流（出力電流Ｉｏ）の増加に相対して出力電圧Ｖｏが降下する図２に示す特性線（垂下特性線Ｌ１）で示す垂下特性が、出力電流Ｉｏが大きくなっても、出力電圧Ｖｏが下がり難い傾向にある。
【００２９】
そして、本実施形態では、この垂下特性を利用し、出力電圧Ｖｏが規定量を超えるオゾンを発生する電圧にならないように、発振周波数により垂下特性の傾きを変えるようにしている。つまり、図２に示す垂下特性線Ｌ１の傾きは、発振回路８のから出力されるパルス信号ＰＳの発振周波数、パルス幅（オン時間）により変更することができる。
【００３０】
詳述すると、まず、空気放電しないためには、高圧発生用トランス５の垂下特性は、例えば、図３に示すように、出力電圧Ｖｏが少なくとも空気放電電圧Ｖｄ以下の垂下特性であることが必要である。ここで、高圧発生用トランス５の製品ばらつき、個体差、等、種々の要因を考慮したマージン電圧Ｖｍを設け、出力電圧Ｖｏがそれ以下の垂下特性となるようしている。
【００３１】
この図３に示す垂下特性は、発振回路８から出力されるパルス信号ＰＳの発振周波数、パルス幅（オン時間）を設定することにより得ることができる。
次に、図４は、規定量オゾン発生曲線Ｌ２を示したものである。規定量オゾン発生曲線Ｌ２は、予め決められた許容のオゾン発生量に対する出力電圧Ｖｏ及びその時の出力電流Ｉｏ（電力）を示し、規定量オゾン発生曲線Ｌ２より電力が大きくなると、オゾンの発生量が過多となることを示す。つまり、図４において、規定量オゾン発生曲線Ｌ２を境に、領域Ａではオゾンの発生量が規定量以上に、領域Ｂではオゾンの発生量が規定量以下となり、高圧発生用トランス５の垂下特性（垂下特性線Ｌ１）は、領域Ｂ内にあることが必要となる。
【００３２】
従って、空気放電せず、オゾン発生量が規定量以上にならないための、高圧発生用トランス５の垂下特性（垂下特性線Ｌ１）は、例えば、図５に示すように、出力電圧Ｖｏが少なくとも空気放電電圧Ｖｄ（マージン電圧Ｖｍを含む）以下であって、規定量オゾン発生曲線Ｌ２の電力以下となる垂下特性であることが必要である。この図５に示す垂下特性（垂下特性線Ｌ１）は、発振回路８から出力されるパルス信号ＰＳの発振周波数を設定することにより得ることができる。
【００３３】
そして、本実施形態では、静電霧化装置１に対して、図５に示す高圧発生用トランス５の垂下特性を、予め試験、実験または計算等を行って求め、図５に示す垂下特性で動作するように、発振回路８から出力されるパルス信号ＰＳの発振周波数、パルス幅（オン時間）を設定している。
【００３４】
従って、発振回路８は、高圧発生用トランス５の垂下特性が、図５に示す垂下特性となる発振周波数及びパルス幅（オン時間）のパルス信号ＰＳをパワーＭＯＳＦＥＴ６に出力し、パワーＭＯＳＦＥＴ６をオン・オフさせる。
【００３５】
このように、本実施形態の静電霧化装置１によれば、その時々で変動する放電電極３上の水の量に左右されず、空気放電が未然に防止されるとともに、大量のオゾンが発生する未然に防止することができる。
【００３６】
しかも、出力電圧Ｖｏや出力電流Ｉｏを検出し、その検出した出力電圧Ｖｏや出力電流Ｉｏに基づいて、パワーＭＯＳＦＥＴ６をフィードバック制御する必要がない。従って、出力をフィードバック制御のための複雑で高価な回路を設ける必要がないため、静電霧化装置１を少ない部品点数で安価に製作することできる。
（第２実施形態）
次に、上記静電霧化装置１の高電圧発生回路２の一実施形態について図６に従って説明する。
【００３７】
図６において、発振回路８は、コンパレータ１１を有し、該コンパレータ１１を使った発振回路である。コンパレータ１１は、そのプラス入力端子（非反転入力端子）に、直流電源Ｅのプラス端子とマイナス端子間に接続された可変抵抗Ｒｂと第１抵抗Ｒ１の直列回路の分圧電圧が入力されている。つまり、可変抵抗Ｒｂと第１抵抗Ｒ１を直列に接続した直列回路を直流電源Ｅのプラス端子とマイナス端子間に接続し、その可変抵抗Ｒｂと第１抵抗Ｒ１の接続点（ノードＮ１）の電圧（分圧電圧）を入力電圧Ｖｉとしてコンパレータ１１のプラス入力端子に入力される。
【００３８】
また、コンパレータ１１のプラス入力端子は、コンパレータ１１の出力端子と第２抵抗Ｒ２を介して接続されている。一方、コンパレータ１１のマイナス入力端子（反転入力端子）は、コンデンサＣ１を介して直流電源Ｅのマイナス端子に接続されている。また、コンパレータ１１のマイナス入力端子は、コンパレータ１１の出力端子と第３抵抗Ｒ３を介して接続されている。
【００３９】
このように構成したコンパレータ１１を使った発振回路８は、第３抵抗Ｒ３の抵抗値とコンデンサＣ１の容量値によって決まる発振周波数で発振し、出力端子から方形波よりなるパルス信号ＰＳを発振する。また、可変抵抗Ｒｂの抵抗値を調整することによって、パルス信号ＰＳのパルス幅（オン時間）、即ち発振周波数が調整できるようになっている。
【００４０】
そして、本実施形態では、パルス信号ＰＳの発振周波数とパルス幅（オン時間）は予め設定されている。即ち、第１実施形態で説明したように、図５に示す高圧発生用トランス５の垂下特性を、予め試験、実験または計算等を行って求め、図５に示す垂下特性で動作するように、発振回路８（コンパレータ１１）から出力されるパルス信号ＰＳの発振周波数、パルス幅（オン時間）を設定している。つまり、パルス信号ＰＳについて、出力電圧Ｖｏを空気放電が発生する電圧（空気放電電圧）以下にするとともに、出力電流Ｉｏが流れすぎるとき出力電圧Ｖｏを低下させてオゾン濃度が高くならないようにする発振周波数、パルス幅（オン時間）を設定する。
【００４１】
そして、本実施形態では、可変抵抗Ｒｂの抵抗値を調整することによって、パルス信号ＰＳの発振周波数、パルス幅（オン時間）を容易に設定することができる。
コンパレータ１１は、その出力端子が第４抵抗Ｒ４を介してトーテムポール駆動回路１２に接続されている。トーテムポール駆動回路１２は、ＮＰＮトランジスタＴ１とＰＮＰトランジスタＴ２とから構成され、両トランジスタＴ１，Ｔ２のベース端子が第４抵抗Ｒ４を介してコンパレータ１１の出力端子に接続されている。
【００４２】
ＮＰＮトランジスタＴ１のコレクタ端子は直流電源Ｅのプラス端子に接続されているとともに、ＰＮＰトランジスタＴ２のコレクタ端子は直流電源Ｅのマイナス端子に接続されている。また、両トランジスタＴ１，Ｔ２のエミッタ端子は互いに接続され、その接続点（ノードＮ２）は抵抗９を介してパワーＭＯＳＦＥＴ６のゲート端子に接続されている。
【００４３】
そして、コンパレータ１１の出力端子から出力されるパルス信号ＰＳがＨレベルの時、ＮＰＮトランジスタＴ１はオンし、ＰＮＰトランジスタＴ２はオフする。その結果、パワーＭＯＳＦＥＴ６は、ゲート端子に１２Ｖ（Ｈレベル）の電圧が印加されてオンし、高圧発生用トランス５の１次側巻線５ａを直流電源Ｅによって通電させる。
【００４４】
反対に、コンパレータ１１の出力端子から出力されるパルス信号ＰＳがＬレベルの時（パルス信号ＰＳが消失している時）、ＮＰＮトランジスタＴ１はオフし、ＰＮＰトランジスタＴ２はオンする。その結果、パワーＭＯＳＦＥＴ６は、ゲート端子に０Ｖ（Ｌレベル）の電圧が印加されてオフし、高圧発生用トランス５の１次側巻線５ａを非通電にする。
【００４５】
つまり、コンパレータ１１から出力されるパルス信号ＰＳによって、パワーＭＯＳＦＥＴ６をオン・オフさせことによって、高圧発生用トランス５の１次側巻線５ａを間欠的に通電させる。そして、高圧発生用トランス５の２次側巻線５ｂから高電圧の２次電圧を出力する。
【００４６】
そして、２次側巻線５ｂから出力された高電圧の２次電圧は、ダイオードＤとコンデンサ１０からなる半波整流回路にて整流されて５ｋＶの出力電圧Ｖｏとして放電電極３とグランド電極４との間に印加される。
【００４７】
本実施形態によれば、コンパレータ１１で生成したパルス信号ＰＳの発振周波数とパルス幅（オン時間）を、トランス５の垂下特性が、空気放電せず、オゾン発生量が規定量以上にならないために、出力電圧Ｖｏが少なくとも空気放電電圧以下であって、規定量オゾン発生曲線Ｌ２の電力以下となる垂下特性となるように設定した。
【００４８】
これにより、複雑なフィードバック制御を行うことなく、出力電圧Ｖｏを空気放電が発生する電圧（空気放電電圧Ｖｄ）以下にするとともに、出力電流Ｉｏが流れすぎるとき出力電圧Ｖｏを低下させることができる。その結果、その時々で変動する放電電極３上の水の量に左右されて発生する空気放電や、オゾンの大量発生をそれぞれ未然に防止することができる。
【００４９】
しかも、本実施形態では、発振回路８をコンパレータ１１にて形成したので、簡単な回路構成で、従前のＬＣ発振回路等に比べて常に安定した発振周波数のパルス信号を生成することができる。
【００５０】
また、本実施形態では、可変抵抗Ｒｂの抵抗値を調整するだけで、パルス信号ＰＳの発振周波数を簡単に調整することができ、トランス５に対する所望の垂下特性を得ることが簡単にできる。
【００５１】
尚、上記実施形態は以下のように変更してもよい。
・上記実施形態では、整流回路に設けたダイオードＤのカソードをトランス５の２次側巻線５ｂ側に向けた接続したが、図７に示すように、整流回路に設けたダイオードＤのカソードをコンデンサ１０側に向けて接続してもよい。つまり、図６に示す高電圧発生回路２が、正の出力電圧Ｖｏを放電電極３とグランド電極４との間に印加するとすれば、図７に示す高電圧発生回路２は、負の出力電圧Ｖｏを放電電極３とグランド電極４との間に印加することになる。
【００５２】
・上記実施形態では、コンパレータ１１のプラス入力端子に接続した可変抵抗Ｒｂを設け、その抵抗値を調整してパルス信号ＰＳの発振周波数を調整、即ち、垂下特性を変更した。これを、例えば、第１抵抗Ｒ１を可変抵抗又はコンデンサＣ１を可変コンデンサにして、その値を適宜変更してパルス信号ＰＳの発振周波数を調整するようにして実施してもよい。
【００５３】
・上記実施形態では、スイッチング素子としてパワーＭＯＳＦＥＴ６を用いたが、バイポーラトランジスタで具体化してもよい。
・上記実施形態では、トランス５に２次側巻線５ｂから出力した２次電圧を整流する整流回路を半波整流回路で実施したが、これを、全波整流回路を用いて実施してもよい。
【００５４】
・上記実施形態では、発振回路８を、コンパレータ１１を使って実施したが、これに限定されるものではなく、スイッチング素子をオン・オフ動作させるパルス信号を出力することのできる発振回路であればコンパレータ１１に限定されない。
【００５５】
・上記実施形態では、１２Ｖの直流電源Ｅを用いたが、これに限定されるものではなく、例えば、商用電源を使い、その商用電源を全波整流回路にて整流したものを使用してもよい。
【００５６】
・上記実施形態では、放電電極３に液体として水を供給し、水を静電霧化し帯電微粒子水を生成する静電霧化装置に具体化したが、これに限定されるものではなく、水以外の液体（例えば、化粧水、薬液等）を霧化してナノメータサイズの帯電微粒子液を生成する静電霧化装置に応用してもよい。
【００５７】
・上記実施形態では、グランド電極４を放電電極３と対向させるように配置したが、これに限定されるものではなく、グランド電極４の配置位置は特に限定されない。また、グランド電極４に相当する部分を静電霧化装置１のハウジングで構成してもよい。
【符号の説明】
【００５８】
１…静電霧化装置、２…高電圧発生回路、３…放電電極、４…グランド電極、５…高圧発生用トランス、５ａ…１次側巻線、５ｂ…２次側巻線、６…パワーＭＯＳＦＥＴ、８…発振回路、１０…コンデンサ、１１…コンパレータ、１２…トーテムポール駆動回路、Ｄ…ダイオード、Ｅ…直流電源、Ｌ１…垂下特性線、Ｌ２…規定量オゾン発生曲線、Ｉｏ…出力電流、Ｖｏ…出力電圧、ＰＳ…パルス信号、Ｒ１〜Ｒ４…第１〜第４抵抗、Ｖｄ…空気放電電圧、Ｖｍ…マージン電圧。
【図１】
2011067746.tif 000003
【図２】
2011067746.tif 000004
【図３】
2011067746.tif 000005
【図４】
2011067746.tif 000006
【図５】
2011067746.tif 000007
【図６】
2011067746.tif 000008
【図７】
2011067746.tif 000009